(57)【特許請求の範囲】
【請求項１】
建築物の室内からの眺望を改善するために屋外に設営される眺望スクリーンであって、
透光性の薄布からなるスクリーン幕と、
前記スクリーン幕を揺動可能に吊りかけるバンド状またはフック状の吊り部材とから構成され、
前記スクリーン幕は、スクリーン幕の四隅と設営場所の任意の固定物とが前記吊り部材を介して接続されることで展開可能である一方、
前記スクリーン幕には、景色の写真または景色の写実的画像が印刷されているとともに、印刷された部分の少なくとも一部が透光すること
を特徴とする眺望スクリーン
【請求項２】
建築物の室内からの眺望を改善するために屋外に設営される眺望スクリーンであって、
左右一対の支柱と、
前記支柱の間に差し渡された吊りかけ部と、
透光性の薄布からなるスクリーン幕と、
前記スクリーン幕を揺動可能に吊りかけるバンド状またはフック状の吊り部材とから構成され、
前記スクリーン幕は、スクリーン幕の四隅と前記吊りかけ部及び前記左右一対の支柱とが前記吊り部材を介して接続されることで展開可能である一方、
前記スクリーン幕には、景色の写真または景色の写実的画像が印刷されているとともに、印刷された部分の少なくとも一部が透光すること
を特徴とする眺望スクリーン
【請求項３】
建築物の室内からの眺望を改善するために屋外に設営される眺望スクリーンであって、
少なくとも左右一対の支柱を含む支持部と、
一対の可動性の支軸と、
透光性の薄布からなるスクリーン幕と、
前記一対の可動性の支軸を揺動可能に吊りかけるバンド状またはフック状の吊り部材とから構成され、
前記一対の可動性の支軸には、前記スクリーン幕の対向する２辺がそれぞれ接続され、
前記一対の可動性の支軸は、前記支持部に前記吊り部材を介して接続されることで、
前記支軸の間隔を離隔させた場合には、前記スクリーン幕が展開可能であり、
いずれか一方の前記一対の可動性の支軸を前記支持部から取り外して前記支軸の間隔を接近させた場合には、前記一方の支軸に前記スクリーン幕を巻付けることで巻き取り収納可能である一方、
前記スクリーン幕には、景色の写真または景色の写実的画像が印刷されているとともに、印刷された部分の少なくとも一部が透光すること
を特徴とする眺望スクリーン
【請求項４】
建築物の室内からの眺望を改善するために屋外に設営される眺望スクリーンであって、
少なくとも左右一対の支柱を含む支持部と、
透光性の薄布からなるスクリーン幕と、
前記スクリーン幕を巻取り及び繰り出し可能なロールスクリーン装置と、
前記ロールスクリーン装置及び前記スクリーン幕を揺動可能に吊りかけるバンド状またはフック状の吊り部材とから構成され、
前記ロールスクリーン装置には、前記スクリーン幕が巻き取り可能に接続され、
前記ロールスクリーン装置及び前記スクリーン幕の吊下端は、前記支持部に前記吊り部材を介して接続され、
前記ロールスクリーン装置の巻き取り方向は、上下又は左右方向である一方、
前記スクリーン幕には、景色の写真または景色の写実的画像が印刷されているとともに、印刷された部分の少なくとも一部が透光すること
を特徴とする眺望スクリーン
【請求項５】
前記スクリーン幕の素材は、ポリエステル繊維であること
を特徴とする請求項1乃至請求項4に記載の眺望スクリーン
【発明の詳細な説明】
【技術分野】
【０００１】
本発明は、室外に設置して、室内からの眺望を改善するスクリーン機構に関するものである。
【背景技術】
【０００２】
窓やベランダ等からの採光・調光をはかり、戸外から室内の様子を遮蔽する道具としては、カーテンや簾（すだれ）・ブラインドなどがある。
【０００３】
カーテンやブラインドは、窓やベランダ戸の内側（屋内側）に設置して、調光・採光や外界からの遮蔽の用途を果たし、簾は、窓やベランダ戸の外側（屋外）の軒先等に吊るして、遮光や遮蔽の効用を果たす。
【０００４】
また、カーテンの模様や色に趣向を凝らして、室内のインテリアとして、室内の美感を向上させることが可能である。
【先行技術文献】
【特許文献】
【０００５】
【特許文献１】実登３２２１３２４号公報
【発明の概要】
【発明が解決しようとする課題】
【０００６】
室内から戸外の景色を眺望する場合、近隣の住宅事情から必ずしも快適なものとはいえず、たとえ眺望の良い物件を求めて居住していたとしても、後に眺望を妨げる障害物が建築されることも少なくない。
【０００７】
また、低層のマンション・アパートや一戸建ての住宅などでは、屋内からの見晴らしが良好とは限らず、物件としての価値も低くなりがちである。
【０００８】
簾やブラインドなどで、屋外の不良な景色を遮蔽することも考えられるが、室内からの眺望は改善されず、住人は単調な簾やブラインド等の裏側を眺めて生活するしかない。
【０００９】
また、カーテンの色や模様で室内の美感を向上させようとしても、カーテンは開閉により模様が歪んでしまうし、室内からの眺望を改善する効用はない。毎日同じ模様や色を眺めて生活するのも、変化に乏しく快適とは言い難い。
【００１０】
上記実用新案登録例においては、「確実で安定的な構造体」である「ロールスクリーン装置」を「建造物壁面の開口部（窓など）」に窓枠方式で直接取り付ける態様であり、取り付け場所が窓など「建造物壁面の開口部」に限定されている。
【００１１】
そして、「確実で安定的な構造体」である「ロールスクリーン装置」に「種々機能を持つロールスクリーン」を「額縁枠」に嵌め込んで多層的に取り付けていることから、そのなかのスクリーンの一部に意匠用の図柄が印刷されていたとしても、図柄自体は固定的で変化に乏しいことに変わりはなく、上記実用新案登録例においても、室内からの眺望を改善する効用は望めないことになる。
【課題を解決するための手段】
【００１２】
そこで、本発明の眺望スクリーンは、建築物の室内からの眺望を改善するために屋外に設営される眺望スクリーンであって、前記眺望スクリーンは、透光性の薄布からなるスクリーン幕と、前記スクリーン幕を揺動可能に吊りかけるバンド状またはフック状の吊り部材とから構成され、前記スクリーン幕は、スクリーン幕の四隅と設営場所の任意の固定物とが前記吊り部材を介して接続されることで展開可能である一方、前記スクリーン幕には、景色の写真または景色の写実的画像が印刷されているとともに、印刷された部分の少なくとも一部が透光することを特徴とする。
また、本発明眺望スクリーンの設営方法としては、左右一対の支柱と、前記支柱の間に差し渡された吊りかけ部と、前記スクリーン幕を揺動可能に吊りかけるバンド状またはフック状の吊り部材とにより、前記スクリーン幕の四隅と前記吊りかけ部及び前記左右一対の支柱とを前記吊り部材を介して接続されることで展開可能であることを特徴とするもの（以下、「支柱開帳型」）がある。
【００１３】
さらに、少なくとも左右一対の支柱を含む支持部と、一対の可動性の支軸と、前記一対の可動性の支軸を揺動可能に吊りかけるバンド状またはフック状の吊り部材とにより、前記一対の可動性の支軸に前記スクリーン幕の対向する２辺をそれぞれ接続することで前記一対の可動性の支軸の間に透光性のスクリーン幕を張り、前記一対の可動性の支軸は、前記支持部に前記吊り部材を介して接続されることで、前記一対の可動性の支軸の間隔を離隔した場合には、前記スクリーン幕が展開可能であり、いずれか一方の一対の可動性の支軸を前記支持部から取り外して前記一対の可動性の支軸の間隔を接近させた場合には、前記一方の支軸に前記スクリーン幕を巻付けることで巻き取り収納可能なことを特徴とするもの（以下、「巻き軸型」）がある。
【００１４】
この巻き軸型の場合、スクリーンの巻き取り収納や開披展開に、前記スクリーン幕を巻取り及び繰り出し可能なロールスクリーン装置及び前記スクリーン幕の吊下端と、前記ロールスクリーン装置及び前記スクリーン幕の吊下端を揺動可能に吊りかけるバンド状またはフック状の吊り部材と用い、前記ロールスクリーン装置及び前記スクリーン幕の吊下端を、前記支持部に前記吊り部材を介して上下又は左右方向に巻き取り可能に接続する構成を採用することも可能である（以下、「ロールスクリーン式」）。
【００１５】
支持機構によって固定設置可能なフレーム枠と、
前記フレーム枠に透光性のスクリーン幕を張り、
前記フレーム枠は折り畳み収納可能であること
を特徴とするもの（以下、「折り畳み式フレーム型」）もある。
【００１６】
加えて、本発明のスクリーン幕の素材としては、透光性の薄布が適するところ、ポリエステル繊維素材が好適である。
【発明の効果】
【００１７】
本発明の眺望スクリーンは、透光性の薄布地をスクリーン幕として、支軸によって展開したり折り畳み収納したりすることも、巻き取りロール式に広げて展開し、或いは巻き取り収納することもできる。
【００１８】
前記スクリーン幕には、良好な景色の写真又は写実的画像（ＣＧや写実的イラスト等）をプリントしてあるので、本発明眺望スクリーンを窓やベランダ戸の外に設置してスクリーン幕を展開すると、屋外の眺望障害物を視界から遮蔽するとともに、屋内からは、スクリーンにプリントされた良好な景色を眺めることができる。
【００１９】
しかも、スクリーン幕の素材が透光性の布地なので、刻々変化する陽光等の外光により、プリントされた景色にもその光の変化が反映されることになる。
【００２０】
さらに、素材の布地にポリエステル繊維素材の平織薄布を採用すると、透光性に優れ、戸外の風によっても、プリントされた景色が揺らめくなどの変化が生じ、室内から眺めた場合、恰もプリントされた景色が撮影された現地が屋外に広がっているような眺望が展開しているような効果がある。
【００２１】
加えて、ポリエステル繊維素材の平織生地は、旗や幟(のぼり)等に使用されているところ、降雨等の水濡れにも強く、しわになり難いうえに、プリント染料が滲んだり褪色したりすることも少ない。
【００２２】
スクリーン幕を交換することにより、好みや季節に合わせて、景色プリントの異なるスクリーン幕を展開することも可能であるし、眺望改善の効果を利用して、住宅のみならず店舗等の空間演出に活用することも期待できる。
【００２３】
また、本発明の眺望スクリーンは、折り畳みや巻取り式で収納容易なので、強風時などの気象状況によっては、収納してスクリーン幕が破れたり飛ばされたりすることを防止することが容易である。
【図面の簡単な説明】
【００２４】
【図１】支柱開帳型の本発明スクリーンの展開状態及び収納状態
【図２】支柱なしで本発明スクリーンを展開する簡易型の例
【図３】上下吊り下げ巻き軸型の本発明スクリーンの展開状態及び収納状態
【図４】左右巻取り方式の巻き軸型の本発明スクリーンの展開状態及び収納状態
【図５】折り畳み式フレーム型の本発明スクリーンの展開状態及び収納状態
【図６】ベランダ戸を半開きにした状態で、屋内から本発明スクリーンを見た場合の正面図
【図７】室内からベランダ戸外に眺望障害物（隣接物件のアパートの物干し場）がある状態において、本発明眺望スクリーンが展開されている状況
【図８】本発明の眺望スクリーンが陽光や風等により揺らめいて、プリントされた景色の写真に変化が生じていることを示すイメージ図
【図９】本発明スクリーンにプリントされた景色の写真の例
【発明を実施するための形態】
【００２５】
本発明の実施形態として、代表的なものを図1〜8によって説明する。
【００２６】
「支柱開帳型」
本発明の第一の実施形態は、図1に示すように、左右一対の支柱（2-1・2-2）の間に吊りワイヤー3を張る。
【００２７】
透光性スクリーン幕1の四隅には吊りバンド4を接続し、前記スクリーン幕1の上側右角を吊りバンド4a1で吊りワイヤー3に、吊りバンド4a2で支柱2-1の上部に結わえる等して接続し、前記スクリーン幕1の上側左角を吊りバンド4c1で吊りワイヤー3に、吊りバンド4c2で支柱2-2の上部に同様に接続するとともに、
前記スクリーン幕1の下側右角を吊りバンド4b1及び吊りバンド4b2で支柱2-1の下部に接続し、前記スクリーン幕1の下側左角を吊りバンド4d1及び吊りバンド4d2で支柱2-2の下部に接続することにより、前記スクリーン幕1を支柱2-1・2-2の間に展開する。
【００２８】
前記スクリーン幕の四隅には、コーナー補強部（1a・1b・1c・1d）を設け、吊りバンド（4a・4b・4c・4d）との接合箇所を補強する。
【００２９】
強風時など、前記スクリーン幕1を収納する場合は、吊りバンド4を支柱（2-1・2-2）や吊りワイヤー3から外して、スクリーン幕1を支柱と吊りワイヤーから離脱させて収納するだけでなく、支柱の一方側（例えば2-2）だけ吊りバンド（4d2・4c1・4c2）を外して、スクリーン幕1を他方の支柱側（2-1）に寄せて、外した方の吊りバンド（4d2・4c1・4c2）で支柱2-1に縛って収納することも可能である。
【００３０】
なお、前記吊りワイヤー3は、物干し竿等の横架材でも代用可能である。
【００３１】
また、図2に示すように、スクリーン幕1の開張方法として、吊りワイヤ―（物干し竿）に上側の吊りバンド（4a・4c）を接続するとともに、下側の吊りバンド（4b・4c）をそれぞれ重石（W-1・W-2）に連結する実施方法もある（簡易展開型）。
【００３２】
「巻き軸型」
本発明の第二の実施形態は、巻き軸型のスクリーンであるところ、図3に示す実施例は、上下吊り下げ方式の巻き軸型のスクリーンであって、物干し竿3等の横架材に吊りかけフック5を吊りかけて使用するものである。
【００３３】
スクリーン幕1は、差し渡し材6と軸棒7の間に張られるとともに、収納する場合には、軸棒7で巻き取って、巻物のように巻き取り収納する。
【００３４】
差し渡し材6には、吊りかけフック5が取り付けられており、本発明スクリーンを物干し竿や吊りワイヤーなどに吊りかけて使用することができる。
【００３５】
また、巻き軸型の実施例において、図3のように、上下巻取り方式を採用する場合、下部を安定させるために、軸棒に重り（W1・W2）を吊り下げて安定させる方法もある。
【００３６】
巻き軸型の場合は、上記のように上下吊り下げ方式のみならず、左右巻取り方式も可能である。
【００３７】
左右巻取り式の実施例は、図4に示すように、差し渡し材６には吊りかけフック5c1及び5d1を接続し、軸棒7には吊りかけフック5a1及び5b1を接続して、スクリーン幕1を左右の支柱（2-1・2-2）の間に差し渡して展開する。
【００３８】
上記左右巻取り方式の実施例において、スクリーン幕1を収納する場合は、支柱（2-1・2-2）から吊りかけフック5を取り外して、軸棒7にスクリーン幕1を巻き取ってコンパクトに収納することができる。
【００３９】
「ロールスクリーン式」
前記巻き軸型においては、スクリーン幕1をロールスクリーン機構に接続して使用する実施形態も可能である。
【００４０】
「折り畳み式フレーム型」
本発明の第三の実施形態は、図5に示すように、スタンド式の折り畳み枠にスクリーン幕1を張って使用する。
【００４１】
［素材］
なお、本発明のスクリーン幕1の素材は、透光性の薄布であることが望ましく、屋外において使用することが多いことからすれば、降雨等の水濡れに強い布素材であれば、より望ましい。
【００４２】
幟(のぼり)や旗等に使用されるポリエステル繊維の薄布素材を用いると、降雨等の水濡れにも強く、透光性もあることに加えて、屋外の風によってはためく効果も発揮するので、外光の変化や風の作用を受けて、スクリーン幕1にプリントされた景色の写真が時々刻々と変化して、恰も写真の景色の現場にいるような臨場感を体験することが可能になる。
【００４３】
殊に、上記ポリエステル繊維生地のうち、糸の太さ経緯75デニールのポリエステル仮撚加工糸を用いる生地は、安価である上にインクジェット印刷基布としての性能にも優れているので、本発明の素材として適している。
【００４４】
［印刷図柄］
スクリーン幕1に印刷される景色の写真や写実的画像としては、図1〜8に示したように、自然林の景色を撮影するほか、図9のように、夜天に打ちあがる花火や海浜の写真等も可能であり、季節や時間帯によって、スクリーン幕1を交換して、よりTPO（時・場所・場面）にかなった演出をすることもできる。
また、旅行先での風光明媚な景色の写真など、思い出の写真をプリントして、いつでもベランダ等でその景色を楽しむこともできる。
さらに、コンピューターグラフィックス（ＣＧ）や写実的なイラストをプリントすれば、宇宙空間や過去の歴史の情景など仮想空間の景色を本発明のスクリーン幕で臨場感を持って体験することも可能である。
【符号の説明】
【００４５】
1   スクリーン幕
1a  コーナー補強部（右隅上）
1b  コーナー補強部（右隅下）
1c  コーナー補強部（左隅上）
1d  コーナー補強部（左隅下）
2   支柱
2-1  支柱（右）
2-2  支柱（左）
3    吊りワイヤー（物干し竿）
4    吊りバンド
4a  吊りバンド（右隅上）
4b  吊りバンド（右隅下）
4c  吊りバンド（左隅上）
4d  吊りバンド（左隅下）
5    吊りかけフック
5a  吊りフック（右上）
5b  吊りフック（右下）
5c  吊りフック（左上）
5d  吊りフック（左下）
6    差し渡し材
7    軸棒
8    フレーム枠
8-1  前フレーム枠
8-2  後フレーム枠
9    フレーム脚部
9-1  前フレーム脚部
9-2  後フレーム脚部
10  折り畳み接合部
11  スクリーン幕展開部
G  接地面
W  重石
W-1  重石（右）
W-2  重石（左）
R    室内側
C    カーテン
LC   レースカーテン
【図１】
0006937500.tif 000002
【図２】
0006937500.tif 000003
【図３】
0006937500.tif 000004
【図４】
0006937500.tif 000005
【図５】
0006937500.tif 000006
【図６】
0006937500.tif 000007
【図７】
0006937500.tif 000008
【図８】
0006937500.tif 000009
【図９】
0006937500.tif 000010